(57)【要約】【課題】近い将来、高い確率で発生するといわれる巨大地震に備えて、家具類が転倒したり、滑って移動したりするのを防止するために、壁面に傷跡を残さず、強度に優れ、高さの異なる複数の家具に対応出来て、見栄えを良くし、建築主や入居者に喜んで受け入れられ、家具固定の実施率をアップさせることのできる、家具類を固定できる支持具固定装置を提供する。【解決手段】古来より見慣れた付け鴨居や長押風の支持基板を壁の高さ180センチ程度の位置に施工しておき、これに、家具に取り付けた支持具をこの支持基板の前面より、誘導首部付の締結具を介して手早く確実に締結していくことができるようにする。又、棚なども取り付けることができるようにしてさらに便利なものとする。【選択図】図１１
2011083425.tif 000002
【特許請求の範囲】
【請求項１】
壁に取り付けられた略C字型レールよりなる支持基板に支持具を固定するための、頭部と誘導首部と軸部とを有する締結具のボルト形状であって、
（１）頭部は、前記レール内部の幅（B１）より小でレール入口部の幅（B２）より大なる寸法（ｂ１）の長辺と、前記B２より小なる寸法（ｂ２）の短辺を有する平面視長方形であって、レール内部の高さ（H１）より小なる高さ（ｈ１）を有しており、
（２）誘導首部は平面視平行四辺形であって、前記長方形の短辺と平行に配設された相対する短辺間の距離（ｄ１）が前記B２と略同寸法を有し、この相対する短辺の長さ（ｄ２）が前記ｂ２の二分の一以下の寸法を有し、この誘導首部の高さ（ｈ２）と前記ｈ１との和が、前記入口部の高さ（H２）と前記H１との和よりも小となる誘導首部の高さ（ｈ２）を有しており、
（３）軸部は、前記長方形の頭部の中心と平行四辺形の誘導首部の中心の位置に直立しているネジ軸であって、
前記レール奥底面まで前記締結具を挿入して、前記軸部に嵌めたナットを回転させると、前記誘導首部の作用により、前記頭部がレール方向に直角に締結される構成としたことを特徴とする支持具固定装置。
【請求項２】
前記支持具が家具類に取り付ける固定部と前記支持基板に取り付ける支持部とからなる家具類の固定具である請求項１記載の支持具固定装置としたものである。
【請求項３】
前記支持具が棚板類を取り付ける載置部と、前記支持基板に取り付ける根元部とからなるブラケットである請求項１記載の支持具固定装置。
特徴とする支持具固定装置。
【発明の詳細な説明】
【技術分野】
【０００１】
本発明は、大地震で家具類が移動したり転倒したりするのを防止するために、壁に施工された支持基板に家具類を固定する装置に関する。
【背景技術】
【０００２】
近い将来、高い確率で発生するといわれる巨大地震に備えて、既存建築物の耐震補強工事が各地で盛んに行われている。しかし、過去の大震災において死者、負傷者はその原因が建物の倒壊によるものより、家具類の転倒や移動や落下による割合の方が多いとされている。そのため、消防庁や各地方自治体等が家具の転倒防止を実施するように、住民に補助金まで出して推進しようとしている。
しかし、家具の上板と天井の間に突っ張り棒式の転倒防止具を設置するものや、家具の下と床との間に粘着クッション材を入れて移動を防止する方法や、両者を家具の上下に入れて転倒移動を防止する方法などがあるものの、大地震には大した効果は期待できないものばかりであった。又、L型金具とビスなどで壁面に家具を固定するのが最も堅固で良いとされるが、壁の仕上げ材料が強度不足で効き目がないとか、コンクリートの壁に穴をあける工事が大変であるとか、引越しや家具の買い替えの際に壁にビスの傷跡が残って補修が困難であるとか、の理由で家具の固定が完了した家庭や事業所は未だ満足のいく割合とはなっていないのが実情である。
【０００３】
そのため、マンションの購入者などから不動産業者に重い家具を確実に固定するための頑丈な金具を前もって壁に埋め込んでおいてほしい、との要望が以前からあったが、「とんでもない。そんな不細工なことはできません。」との返事しか返ってこなかった。（これは、客が内見に訪れた際に埋め込まれた金具を見て、不格好なため、契約が不成立となっては困ると思うからであろう。）
【０００４】
比較的重い家具類として、家庭においては、200〜250キログラム
のピアノ、80〜100キロの冷蔵庫、150〜200キロの本棚、100〜150キロの洋ダンス、オフィスにおいては、コピー機、スチール製書類庫、本棚、金庫、など100キロ以上のものが数多く壁際に置かれている。総務省消防庁ホームページの生活密着情報によると、家具固定の方法として、移動や転倒を防ぐには少なくとも家具の全重量の2分の1以上の力に耐えるように建物に確実に固定することが必要。とされているが、ホームセンターなどで市販されている従来の家具固定具ではこれを満たすような見栄えが良く、頑丈で、簡単に取り付けることができるものを見つけることは非常に困難であった。
【０００５】
そこで、壁面に傷跡を残さず、家具を固定する次のような方法が提案されている。（特許文献１参照。）。この発明は、図１、図１２、段落番号００１３に記載されているように、家具のすぐ上の壁に取り付けられたレール１に取り付け部材２を介して家具の上面１０ｆを固定する構成となっているため、レール１より高さの高い家具を固定することができないという問題点があった。又、段落番号００１５の第13行目から第18行目に記載されているように、図１の段差F程度の若干高さの違う複数の家具や床の不陸などによる高さの違い程度ならば、適応できる。と記載されているが、近年のように事業所においても、機能によって様々な高さの家具が使用されているし、180センチより高い家具が多くなっている現状では、固定できない家具も多いという課題があった。それと、地震の揺れの方向は様々な角度であり、前方への家具の転倒は防止できても、取り付け部材２はレール方向にはスライド可能な構成としてあるため、レール方向の揺れとか、レール方向に斜めの角度の揺れが来ると力の分解により、レール方向の力がかかり、レール方向に家具が滑って移動するのを防止することはできないという課題もあった。
【０００６】
又、特許文献２のような技術があった。この発明は、ガイド５１がレールにスライド可能であるため、前文献と同じく、レール方向の移動を防止することができなかった。又、レールの掛止縁に開口部があるため、揺れたときに大きな力の掛る掛止縁が破損しやすいという大きな問題点があった。それと、ガイドの挿入箇所がスリットのどこからでも可能ならば良いのであるが、この開口部からでないとできないという不自由さがあった。
【０００７】
それと、本願の誘導首部付締結具に関連する背景技術として、正面の一方向より効率よく固定できる長穴用固定具の技術が提案されている。（特許文献３参照）。この技術は、図３、図４や段落番号００１５、００１６に記載されているように、長穴の裏側に手が入らないため、正面よりボルトの菱型の頭部２１ｂを挿入して、菱型２１ｃにて、ボルトの回転を容易に防止できるというものである。この菱型21cは本願でいう誘導首部に類似してはいるが、この技術は図６のように掛止部が長穴の方向に斜めに掛止されるため、部材にねじれの力がかかるとか、見栄え（図５のように固定物10に隠れて目視はできないが、）がよくないとかの問題点があった。又、図１に示されているように、固定物１０の空間の高さが高くて、頭部２１が宙に浮いているため、作業中に手を離すとT状ボルト２１が底の深い架台10の中に落ち込んでしまうという問題点もあった。
それと、段落番号００１５、００１６に記載されているように、4角形21cを長穴11に挿入させるには、頭部２１ｂと菱型部２１ｃが長穴１１を通り抜けた段階で、固定物１０に隠れて菱型部21cは目視できぬため、手に持ったボルトを引っ張りながらゆっくりと手先の感覚だけで回しながら、菱型部21cが嵌り込むように長穴を探さねばならない。よほど、注意していないと菱型部21cの角は長穴部11を通りすぎてしまい、誘導部の役割を果たすことができず、通り過ぎると又、次の回転で同じことを繰り返さねばならないという非能率性があった。
【０００８】
そして、ナット締め付け時のボルトの友回りを防ぐという緊締具の技術があったが（特許文献４参照。）、これも図２に示されているように、レール方向に斜めに掛止するものでしかないし、レールの内幅（本願ではレール内壁113、113間の幅）が本願のように広い場合は頭部が長くなりすぎて良くない。
【０００９】
また、特許文献５の図６の右半側に示されているような状態の座板2があるが、段落番号００１５に記載されているように、締付時の有効な接触面積を小さくして締結を弱くする問題と、製作誤差により正しく９０度回動させることがむずかしい問題とがあった。（それと、誘導部付ではないので本願とは異なる。）
【００１０】
又、特許文献１の図１２に取り付け部材４ｂが記載されているが、ボルトではないので、本願とは異なる。
【００１１】
そして、従来より、本願の図１５に示すようにレール入口の幅より小さい短辺を有する長方形の頭部を備えた締結ボルトがあったが、これは友回りを防ぐ機能がないため、頭部を押さえておくことができない場合は、ナットを回すと頭部が友回りし、頭部をレールに直角になるように締結するのは困難であるし、友回りでレールと平行になって抜け落ちる可能性もあった。それと、本願図１６に示すようなスロットボルトなる技術が従来よりあったが、これの頭部51をレール内部いっぱいに挿入して、ナットを嵌めて時計方向に回転させると、ストップ機能は働かずいつまでたっても空回りするばかりであった。または、前記段落番号０００７に記載したと同じく締結作業時に、手に持ったボルトを引っ張りながらゆっくりと手先の感覚だけで回しながら入口部13に嵌り込むようにスリットを探さねばならない。よほど、注意していないと正方形型誘導部52の角部はスリット部13に嵌まらずに、通りすぎてしまい、誘導部の役割を果たすことができず、通り過ぎると又、次の回転で同じことを繰り返さねばならないという非能率性があった。
【先行技術文献】
【特許文献】
【００１２】
【特許文献１】特許第3180942
【特許文献２】特開2007-306956
【特許文献３】特開2000-334632
【特許文献４】特開2001-248622
【特許文献５】特開2009-114739
【発明の概要】
【発明が解決しようとする課題】
【００１３】
本発明は、このような従来の技術が有していた問題点を解決しようとするものであり、壁面に前もって施工された本発明の支持基板が、家具が固定されていない時でも違和感のないもので、前面の任意の位置から取り付け可能で、高さの異なる複数の家具類を簡単に堅固に固定する事の出来る見栄えの良い固定装置を提供することを目的とするものである。
【００１４】
古来より、日本建築において、壁面の高さ１８０センチ程度の位置に幅４センチ程度の付け鴨居や幅１０センチ程度の長押を取り付ける様式があった。又、西洋建築においてもドアの高さの壁面に木桟が設けられる様式があった。壁面に施工されたこれらの横木は古来より人々が見慣れたものであるため、違和感なく受け入れられるものである。本願発明者はこの点に着目し、家具が置かれていない時でも違和感なく受け入れられるように、これらの横木に似て同程度の幅とし、色彩や質感も床材などに合わせるように表面加工した不細工でない頑丈な支持基板1や2を、壁面の高さ１８０センチ〜１９０センチ程度の位置に専門会社が堅固に施工しておき、この前に置いた複数の家具類を、入居者がホームセンターなどで購入した前記支持基板1，2に対応する支持具31，32と締結具4，5，６を介して、この支持基板1,2の前面から簡単に固定したり、傷跡を残さず取り外したりできるようにしようとするものである。
【００１５】
建物の用途により、比較的軽い家具ばかりを固定すると想定される場合は、幅4センチ程度の付け鴨居に相当する一本の略C字型レールよりなる支持基板1で良いが、重い家具が混じると想定される場合は、二本の略C字型レールよりなる幅10センチ程度の長押に似せた強度の大きい支持基板2を用意するようにする。これら2種類の支持基板は新築工事時だけでなくリフォーム時でも専門会社が堅固に施工しておけば、前述したような理由で、入居前の内見時に入居者に違和感なく喜んで受け入れられる物件となるものである。そして、入居時に持ち込んだ家具類を従来になく堅固に、素人大工でも、簡単に家具を固定できる不細工でない支持基板として、来るべき巨大地震に備えて大きな効果が期待できる新規の建築部材となるものである。
【課題を解決するための手段】
【００１６】
本発明の第１の問題解決手段は上記の目的を達成するために、壁に取り付けられた略C字型レールよりなる支持基板に支持具を固定するための、頭部と誘導首部と軸部とを有する締結具のボルト形状であって、
（１）頭部は、前記レール内部の幅（B１）より小でレール入口部の幅（B２）より大なる寸法（ｂ１）の長辺と、前記B２より小なる寸法（ｂ２）の短辺を有する平面視長方形であって、レール内部の高さ（H１）より小なる高さ（ｈ１）を有しており、
（２）誘導首部は平面視平行四辺形であって、前記長方形の短辺と平行に配設された相対する短辺間の距離（ｄ１）が前記B２と略同寸法を有し、この相対する短辺の長さ（ｄ２）が前記ｂ２の二分の一以下の寸法を有し、この誘導首部の高さ（ｈ２）と前記ｈ１との和が、前記入口部の高さ（H２）と前記H１との和よりも小となる誘導首部の高さ（ｈ２）を有しており、
（３）軸部は、前記長方形の頭部の中心と平行四辺形の誘導首部の中心の位置に直立しているネジ軸であって、
前記レール奥底面まで前記締結具を挿入して、前記軸部に嵌めたナットを回転させると、前記誘導首部の作用により、前記頭部がレール方向に直角に締結される構成としたことを
特徴とする支持具固定装置としたものである。
【００１７】
そして、本発明の第２の問題解決手段は上記の目的を達成するために、前記支持具が家具類に取り付ける固定部と前記支持基板に取り付ける支持部とからなる家具類の固定具である請求項１記載の支持具固定装置としたものである。
【００１８】
それから、本発明の第３の問題解決手段は上記の目的を達成するために、前記支持具が棚板類を取り付ける載置部と、前記支持基板に取り付ける根元部とからなるブラケットである請求項１記載の支持具固定装置としたものである。
【発明の効果】
【００１９】
マンションなどの各住戸間の壁の構造体は通常、鉄筋コンクリートなど強固な材料で造られている。この堅固な壁の構造体に、本発明の支持基板を施工しておくと、入居者が素人大工でも複数の家具を、簡単な工具で簡単に堅固に確実に固定していくことが可能である。
又、オフィスビルなどでは室内壁は軽鉄間仕切に仕上げ材として石膏ボードを張ったものが用いられることが多いが、本発明の支持基板をこれの構造体である軽鉄間柱に向かってビス等で堅固に固定しておけば、入居者が堅固な家具類の固定装置として利用できるものであり、引越しや家具買い替えの際でも壁面にビス等の傷跡を残さず家具と支持具を簡単に取り外すことが可能となるものである。
【発明を実施するための形態】
【００２０】
以下本発明の実施例を図１ないし図１７に基づいて詳しく説明する。
図１（a）と図１０は一本の略C字型レール11よりなる支持基板1の断面図と斜視図であるが、日本建築でいう幅4センチ程度の付け鴨居に似せたものであり、壁の鉄筋コンクリートや軽鉄間柱などの構造体8に、レールの入口部13を通って彫り込みアンカーやネジなどで適当な間隔で堅固に固定されている。図１、図７に示すように、レール内部12の幅はB１であり、レール入口部13の幅はB２である。図１（ｂ）は締結具4の側面図であるが、頭部41は平面視長方形であり、レール入口部の幅B２より小さい寸法ｂ２の短辺とB２よりも大きい寸法b１の長辺より成っている。
【００２１】
図２〜図４は支持基板１または支持基板2に締結具4を挿入して支持具31，32を締結する説明図であるが、図２に示すように、図５、図７に示す締結具４を入口部13よりレール内部12に挿入し、先端がレール11の奥底面121に当たるまで押し込んだ図である。締結具の頭部41の高さｈ１はレール内部12の高さH１より小であり、このｈ１と誘導首部42の高さｈ２との和はレール内部の高さH１と入口部の高さH２との和よりも小である。次に締結具の軸部43にボルト穴33を通して支持具31や32を嵌めてから、横にスライドさせて、家具に取り付け、ワッシャーやナット45を軸部43に嵌めて、時計回りにナット45や軸部43を回転させると、図３及び図７（a）、（ｂ）、（ｃ）に示すように、略90度回転したところで、誘導首部の平行四辺形の相対する両方の短辺が、この短辺間の距離ｄ１を入口部の幅B１と略同寸法としているため、レール入口部13の両側の壁131に当たって、これ以上は回転ができなくなる。
【００２２】
そして、そのままナット45を回し続けると、図４と図７（ｃ）に示すように、長方形の頭部41は掛止縁14の方に引き寄せられて支持具31または32をナット45と頭部41とで強く締め付け、略C字型のレール方向に直角に堅固に締結される。それで、この締結された摩擦力により家具がレール方向に床上を滑って移動することを防止するし、前側への転倒を防止するものである。そして、取り外す時にはナットを反時計回りに回すと、図７（ｃ）の状態から、（a）の状態に戻り、平行四辺形の誘導首部42の鋭角部がレールの入口部13の両側の壁131に当たって回転が止められ、ナットが緩んで外れる。そして、支持具31，32を家具から外してから、そのまま軸部53を手前に引っ張ると簡単に締結具4を取り外すことができる。
【００２３】
それと、図７（a）において、平面視平行四辺形の長い方の対角線と長方形の長辺の交点にｈ２の高さの細い棒を図７（e）のように直立しておけば、これが誘導首部82となってストッパーの役割を果たすものとなるが、それではすぐ折れたりして困るので、丈夫にするため、又、短辺部ができるだけ面として入口部の壁131に当たるようにするため、平行四辺形としている。なお、両方の短辺間の距離ｄ１を入口部の幅B２と同じにしておけば、図７（ｃ）のように、長方形の頭部がレール方向に正しく直角に掛止されるが、ｄ１とB２少しは違っていても略直角に掛止されていれば機能上はそれほど問題にはならない。
【００２４】
図１０は一本レールの支持基板1とこれに対応する支持具31の斜視図であるが、支持部302には入口部13に対応するネジ穴33が横に2か所設けてあり、締結具4や5を介して家具を支持基板1に固定した際に、横方向の揺れによる曲げモーメントに耐えるように考慮されている。しかしこれは、上下動による曲げモーメントには弱いため、比較的軽い家具ばかりを固定するための支持基板1と支持具31として用意される。
【００２５】
図１１は日本建築でいう幅10センチ程度の長押に似せたものであり、二本の略C字型レール11より成る支持基板2である。壁の構造体8に入口部13を通って上下二本の彫り込みアンカーなどで適当な間隔で堅固に固定されている。そして、家具類を固定した支持具32を4本の誘導首部付の締結具4で上下のレールに堅固に固定するため、上下左右斜め、どの方向から地震の揺れがきても、引っ張りやせん断や曲げモーメントに耐えるようにしてあり一本レールより成る付け鴨居タイプの支持基板1に比して、格段に強く抵抗することが可能である。又、支持具に図のような補強リブ311を設けておくと、より丈夫になって良い。重い家具類の多いマンションやオフィスビルにおいては、この長押タイプの方を施工しておくことが推奨される。
木造建築の場合は壁の構造体41が木製の間柱であるため、支持基板1，2をビスでこれに固定したとき、引き抜き強度に劣るが何らかの方法で補強すると良い。
【００２６】
これらの支持基板1，2や支持具31，32は、強度はもちろんであるが、前述したように何よりも見た目が優れたものでないと、建築主や入居者から受け入れてもらえない。そのため、付け鴨居や長押や木桟風とするものであり、入口部13の幅を出来るだけ狭くして、床フローリングや建具材に似た色彩や材質感の建築部材とするため、又、強度も必要なため、鉄板製曲げ溶接加工やアルミ合金の押し出し材などの金属製として、塗装や電解発色や木目の印刷やシート張りなどで、インテリアになじむような表面仕上げとしたら良いであろうし、強度があればプラスチック製としても良い。
【００２７】
又、図１２（a）、（ｂ）に示すように、図１１に示す固定部301の家具に取り付ける側の穴39、と同じ位置に穴39を設けた追加支持具37、371が用意されており、図１２に示すように支持具32にボルトなどでこれを接続して、高さ１８０センチ程度に施工された支持基板2よりも高さの低い家具の側面72や上面71をビス穴379を挿通して木ビスで固定したり、粘着クッション材を家具との間に挟んで固定するのに使用される。
【００２８】
それと、図１２の（ｃ）は高さの低い家具類（例えばテレビなど）の上部の両端を平板材38などでクッション材などを介して固定して丈夫で細い2本の紐40などで両側の支持具32に結びつけて、支持基板2や1に固定するための追加支持具371である。
【００２９】
図１３に示すように、高さ180センチ程度の位置に取り付けられた支持基板2が、一つの壁の端から端まで施工されているため、支持基板よりも高さの高い家具の場合は家具の両側の側板72に支持具32を取り付けて固定する。又、低い家具の場合は支持具302に追加支持具37や371を追加して側板72や上板71の両端に取り付けて、締結具4，5で支持基板2に固定することを可能としたものである。
【００３０】
図６（a）〜（ｃ）は、C字型レール11の内部12の高さH１が高すぎる場合には頭部が頭でっかちとなりすぎる。そのため、頭部41の先端に高さ調整部411を設けて、頭部の高さh１をかさ上げして、H１よりも少しだけ低くなるように調整したものである。この高さ調整部411は先の方を狭くしているためレール入口部13から挿入しやすくしてある。又、この高さ調整部411は強度はそれほど必要ないため、プラスチック製などとして、後付けとしても良い。
【００３１】
図８（a）〜（ｄ）は平面視扇型の誘導首部52付の締結具5を示す図であるが、図８の（a）において、頭部51は前記の平行四辺形の誘導首部42の付いた締結具4の場合と同じ寸法の平面視長方形より成っており、図２に示すように、レール内部の高さH１よりもやや小なる高さｈ１を有している。誘導首部52の高さについても前記と同じであり、入口部の高さH２よりやや小なる高さｈ２を有し、長方形の頭部51の高さｈ１と誘導首部52の高さｈ２の和はレール内部の高さH１と入口部の高さH２の和より小である。
【００３２】
そして、誘導首部52は平面視扇形で、頭部51の短辺の長さｂ２と略同寸法の半径の四分の一円である。そのため、図８の（ｂ）に示すように、支持板221や掛止縁116に隠れて、レール底112までいっぱいに挿入した頭部311が目視できなくても、ナットを時計方向に回しさえすれば、ひとりでに図８の（ｃ）のように略扇型の誘導首部52の両方の角部54が入口部の両側の壁131に（ｃ）に示すように当たって友回りが完全にストップすると同時に、長方形の頭部51の長辺がレール方向に略直角になり、ナット45できつく締結される。ここで、図８の（ｂ）、（ｃ）において、頭部の長方形の長手方向の扇型の辺の長さｂ２のみを少し長くして入口部の幅B２の長さとした略扇型としたら、長方形の頭部51の長辺がレール方向に完全に直角にすることが可能となる。取り外すときには、ナットを反時計方向に回しさえすれば、（ｃ）の状態から（a）の状態に戻り扇型の角部54が入口部13の両側の壁131に当たって回転をストップさせ、ナットは外れる。
【００３３】
又、扇型の誘導首部52の場合は図８の（ｂ）でわかるように、締結作業中、軸部53が上下方向に少し移動する。そのため、支持具のネジ穴33は上下方向に少し長い長穴とした方が良い。なお、図７、図８、図９の場合も、軸部53は長方形の頭部51の中心位置に直立している。
【００３４】
それと、図９の実施例は目型の誘導首部62であるが、長方形の頭部41は短辺ｂ２、長辺ｂ１、高さｈ１とも前記平行四辺形の頭部と同じである。この誘導首部６２の目型は図９（a）において、長方形の短辺ｂ２より成る正方形の左上と右下の角部を切り取ったものであり、時計方向に回すと（ｂ）を経て（ｃ）のように角部54が両側の入口部の壁131に当たってストップする。それで、長方形の頭部41が直角に掛止される。この誘導首部62の高さについては前記平行四辺形の誘導首部52と同じ高さｈ２である。
【００３５】
又、図７他に示すように軸部43の端部に、頭部411の長辺方向に平行に略Y字型の溝44を刻んでおくと、支持具や掛止縁14に隠れて頭部41が目視できなくても、長方形の頭部が今どちらの方向を向いているかが確認できて便利である。又、この溝はマイナスドライバーで軸部53を回したり、固定するときにも利用できて便利である。
【００３６】
図１３において、家具固定の順序を説明する。支持基板２より高さの高い右側の家具の場合、壁構造体8に堅固に施工された支持基板2のC字型レールに４本の締結具4又は5を挿入しこれの軸部に、支持具32の支持部302にあけたボルト穴303を通し、そのまま、家具の側面までスライドして固定部301を側板72に押圧してビスで固定する。そして支持基板２から手前に突き出ている軸部にワッシャーとナットを嵌めて時計方向に回しさえすれば、長方形の頭部はレール方向に直角になったところで回転が止められ、ひとりでに頭部は引き寄せられて、ナットは支持具を強く締め付ける。
又、支持基板より高さの高い家具の場合は家具の両側板72に支持具32をしっかりと押圧すれば、側板72と固定部301との間に粘着クッション材を挟んでやって、家具にビスの傷をつけないように固定することも可能である。
【００３７】
又、支持基板２より高さの低い左側の家具の場合には、支持具４に追加支持具３７や３７１を取り付けて側板７２や上板７１にビス止めして、奥底面１２１まで挿入してある締結具にワッシャー、ナットを嵌めて時計方向に回しさえすれば、家具７はしっかりと支持基板２に締結固定される。そして、家具を取り外したいときには、側板や上板のビスを抜いて、締結具のナットを反時計方向に回したら、９０度回ったところで誘導首部が働いて回転が止められて、ナットを簡単に外すことができる。そして、支持具をはずしたら、壁に傷を付けることなく家具を取り外すことが、このように簡単にできるものである。
【００３８】
以上述べたように、支持基板1，2は地震時に家具類の移動や転倒防止を図ることを主な目的としたものであるが、それ以外の用途として、図１４に示すように、棚板341を取り付けるブラケット36が考えられる。前述の二本レールからなる支持基板2に締結具４または５を嵌めて、左右2本のブラケット36の根元部35の上下のネジ穴303を軸部53に嵌めて、任意の間口にスライドさせてナットで締結し、棚板341を載置部34に載せて木ビスで固定したら頑丈な棚を簡単に作ることが可能であり、引越しの際に取り外しても壁に傷跡を残すことがない。
【００３９】
又、図１５はハンガーパイプ342を取り付けるブラケット36の図であるが、前述の二本レールからなる支持基板2の任意の位置に締結具を挿入して、ブラケット36の根もとの上下のボルト穴303を嵌めてナットで締め付けて、ハンガーパイプ342を載置部34に載せて、ビスで固定したら頑丈な洋服掛けや室内物干し竿を簡単に作ることが可能であり、引越しの際に取り外しても壁に傷跡を残すことがない。それと、さらにこのブラケット36の上に棚板341を載せても、構造体8に上下2本の彫り込みアンカーで適当な間隔でガッチリと固定されているため、上からの荷重だけでなく下から突き上げる荷重にも耐えるものである。
【００４０】
つぎに、支持基板1，2の材質や、寸法的なものであるが、材質は精度が確保しやすく強度も信頼できるアルミ合金押し出し材が良いであろう。又、鉄板を曲げ加工したり溶接したりして製作しても良い。寸法は、支持基板を構造体8に固定する際に入口部13から彫り込みアンカーを挿通して施工するため、入口部13の幅を8ミリ程度とする。前述したように、一本レールの支持基板1の外幅は40ミリ程度とし、二本レールの支持基板2の外幅は100ミリ程度とする。そして、締結具4，5の軸部は、前述したように、100キロ以上の複数の重量家具を固定し、その全重量の半分以上を支えるために、又、複雑に加わる地震力のため、一部の締結ボルトでしか支えないことも考慮して、一本で引張破断強度３５０キロ程度のM４か、一本で８００キロ程度のM６程度とするが、締結本数が複数であるためM４でも充分であろう。又、誘導首部42，52、62はボルト締結時の頭部41，51、61の友回りを防止するためのものであるから、大きい力を受けることはない。それでプラスチック製などとして、後付けとしてもさしつかえないであろう。
【図面の簡単な説明】
【００４１】
【図１】（a）〜（ｂ）  本発明の実施例を示す断面図。
【図２】本発明の実施例を示す断面図。
【図３】本発明の実施例を示す断面図。
【図４】本発明の実施例を示す断面図。
【図５】（a）〜（ｃ）本発明の実施例を示す平面図と側面図。
【図６】（a）〜（ｃ）本発明の実施例を示す断面図。
【図７】（a）〜（ｄ）本発明の実施例を示す説明図。
【図８】（a）〜（ｄ）本発明の実施例を示す説明図。
【図９】（a）〜（ｄ）本発明の実施例を示す説明図。
【図１０】本発明の実施例を示す斜視図。
【図１１】本発明の実施例を示す斜視図。
【図１２】（a）〜（ｃ）本発明の実施例を示す斜視図。
【図１３】本発明の実施例を示す斜視図。
【図１４】本発明の実施例を示す斜視図。
【図１５】本発明の実施例を示す斜視図。
【図１６】従来の実施例を示す斜視図。
【図１７】従来の実施例を示す斜視図と断面図。
【産業上の利用可能性】
【００４２】
国をあげて防災に関する関心が高まっている近年、本発明の支持具固定装置が製品化されると、家具などを固定するための新規の建築部材として、大いなる需要が見込まれるものとなるであろう。又、本発明の支持具固定装置に使用される支持基板は壁に取り付けるだけでなく、床や天井に取り付けて、締結具を介して物品を固定するための装置としても使用可能である。
【符号の説明】
【００４３】
１、２  支持基板
４、５、６  締結具
４１  頭部
４２  誘導首部
３２  支持具
３０３  ボルト穴
３９  ビス穴
７１  家具側板
【図１】
2011083425.tif 000003
【図２】
2011083425.tif 000004
【図３】
2011083425.tif 000005
【図４】
2011083425.tif 000006
【図５】
2011083425.tif 000007
【図６】
2011083425.tif 000008
【図７】
2011083425.tif 000009
【図８】
2011083425.tif 000010
【図９】
2011083425.tif 000011
【図１０】
2011083425.tif 000012
【図１１】
2011083425.tif 000013
【図１２】
2011083425.tif 000014
【図１３】
2011083425.tif 000015
【図１４】
2011083425.tif 000016
【図１５】
2011083425.tif 000017
【図１６】
2011083425.tif 000018
【図１７】
2011083425.tif 000019
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
壁に取り付けられた略C字型レールよりなる支持基板に支持具を固定するための、頭部と誘導首部と軸部とを有する締結具のボルト形状であって、
（１）頭部は、前記レール内部の幅（B１）より小でレール入口部の幅（B２）より大なる寸法（ｂ１）の長辺と、前記B２より小なる寸法（ｂ２）の短辺を有する平面視長方形であって、レール内部の高さ（H１）より小なる高さ（ｈ１）を有しており、
（２）誘導首部は平面視平行四辺形であって、前記長方形の短辺と平行に配設された相対する短辺間の距離（ｄ１）が前記B２と略同寸法を有し、この相対する短辺の長さ（ｄ２）が前記ｂ２の二分の一以下の寸法を有し、この誘導首部の高さ（ｈ２）と前記ｈ１との和が、前記入口部の高さ（H２）と前記H１との和よりも小となる誘導首部の高さ（ｈ２）を有しており、
（３）軸部は、前記長方形の頭部の中心と平行四辺形の誘導首部の中心の位置に直立しているネジ軸であって、
前記レール奥底面まで前記締結具を挿入して、前記軸部に嵌めたナットを回転させると、前記誘導首部の作用により、前記頭部がレール方向に直角に締結される構成としたことを特徴とする支持具固定装置。
【請求項２】
前記支持具が家具類に取り付ける固定部と前記支持基板に取り付ける支持部とからなる家具類の固定具である請求項１記載の支持具固定装置。
【請求項３】
前記支持具が棚板類を取り付ける載置部と、前記支持基板に取り付ける根元部とからなるブラケットである請求項１記載の支持具固定装置。
【手続補正書】
【提出日】平成23年1月26日(2011.1.26)
【手続補正１】
【補正対象書類名】特許請求の範囲
【補正対象項目名】全文
【補正方法】変更
【補正の内容】
【特許請求の範囲】
【請求項１】
壁に取り付けられた略C字型レールよりなる支持基板に支持具を固定するための、頭部と誘導首部と軸部とを有する締結具のボルト形状であって、
（１）頭部は、前記レール内部の幅（B１）より小でレール入口部の幅（B２）より大なる寸法（ｂ１）の長辺と、前記B２より小なる寸法（ｂ２）の短辺を有する平面視長方形であって、レール内部の高さ（H１）より小なる高さ（ｈ１）を有しており、
（２）誘導首部は平面視平行四辺形であって、前記長方形の短辺と平行に配設された相対する短辺間の距離（ｄ１）が前記B２と略同寸法を有し、この相対する短辺の長さ（ｄ２）が前記ｂ２の二分の一以下の寸法を有し、この誘導首部の高さ（ｈ２）と前記ｈ１との和が、前記入口部の高さ（H２）と前記H１との和よりも小となる誘導首部の高さ（ｈ２）を有しており、
（３）軸部は、前記長方形の頭部の中心と平行四辺形の誘導首部の中心の位置に直立しているネジ軸であって、
前記レール奥底面まで前記締結具を挿入して、前記軸部に嵌めたナットを回転させると、前記誘導首部の作用により、前記頭部がレール方向に直角に締結される構成としたことを特徴とする支持具固定装置。
【請求項２】
前記支持具が家具類に取り付ける固定部と前記支持基板に取り付ける支持部とからなる家具類の固定具である請求項１記載の支持具固定装置。
【請求項３】
前記支持具が棚板類を取り付ける載置部と、前記支持基板に取り付ける根元部とからなるブラケットである請求項１記載の支持具固定装置。
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
壁に取り付けられた略C字型レールよりなる支持基板に支持具を固定するための、頭部と誘導首部と軸部とを有する締結具のボルト形状であって、
（１）頭部は、前記レール内部の幅（B１）より小でレール入口部の幅（B２）より大なる寸法（ｂ１）の長辺と、前記B２より小なる寸法（ｂ２）の短辺を有する平面視長方形であって、レール内部の高さ（H１）より小なる高さ（ｈ１）を有しており、
（２）誘導首部は平面視平行四辺形であって、前記長方形の短辺と平行に配設された相対する短辺間の距離（ｄ１）が前記B２と略同寸法を有し、この相対する短辺の長さ（ｄ２）が前記ｂ２の二分の一以下の寸法を有し、この誘導首部の高さ（ｈ２）と前記ｈ１との和が、前記入口部の高さ（H２）と前記H１との和よりも小となる誘導首部の高さ（ｈ２）を有しており、
（３）軸部は、前記長方形の頭部の中心と平行四辺形の誘導首部の中心の位置に直立しているネジ軸であって、
（４）前記頭部の高さ（ｈ１）はボルトの頭部と先細りの調整部の高さの和であり、
前記レール奥底面まで前記締結具を挿入して、前記軸部に嵌めたナットを回転させると、前記誘導首部の作用により、前記頭部がレール方向に直角に締結される構成としたことを特徴とする支持具固定装置。
【請求項２】
前記支持具が家具類に取り付ける固定部と前記支持基板に取り付ける支持部とからなる家具類の固定具である請求項１記載の支持具固定装置。
【請求項３】
前記支持具が棚板類を取り付ける載置部と、前記支持基板に取り付ける根元部とからなるブラケットである請求項１記載の支持具固定装置。
【手続補正２】
【補正対象書類名】明細書
【補正対象項目名】００１６
【補正方法】変更
【補正の内容】
【００１６】
本発明の第1の問題解決手段は上記の目的を達成するために、壁に取り付けられた略C字型レールよりなる支持基板に支持具を固定するための、頭部と誘導首部と軸部とを有する締結具のボルト形状であって、
（１）頭部は、前記レール内部の幅（B１）より小でレール入口部の幅（B２）より大なる寸法（ｂ１）の長辺と、前記B２より小なる寸法（ｂ２）の短辺を有する平面視長方形であって、レール内部の高さ（H１）より小なる高さ（ｈ１）を有しており、
（２）誘導首部は平面視平行四辺形であって、前記長方形の短辺と平行に配設された相対する短辺間の距離（ｄ１）が前記B２と略同寸法を有し、この相対する短辺の長さ（ｄ２）が前記ｂ２の二分の一以下の寸法を有し、この誘導首部の高さ（ｈ２）と前記ｈ１との和が、前記入口部の高さ（H２）と前記H１との和よりも小となる誘導首部の高さ（ｈ２）を有しており、
（３）軸部は、前記長方形の頭部の中心と平行四辺形の誘導首部の中心の位置に直立しているネジ軸であって、
（４）前記頭部の高さ（ｈ１）はボルトの頭部と先細りの調整部の高さの和であり、
前記レール奥底面まで前記締結具を挿入して、前記軸部に嵌めたナットを回転させると、前記誘導首部の作用により、前記頭部がレール方向に直角に締結される構成としたことを特徴とする支持具固定装置としたものである。